(57)【要約】【課題】コンセントから複数の電気機器に電源を供給する為に用いられるテーブルタップなど複数の刃受けを持つマルチタップでは刃受け穴の間隔より大きなプラグ、例えば、直流電源アダプターなどが差し込まれたとき隣接する刃受けがアダプターで塞がれて使用できなくなり、刃受けの数だけ利用できなくなって、更にマルチタップを追加して接続しなければならないような事が発生し、マルチタップ接続部が混雑したり、スペースが大きくなったりしていた。また、余分なマルチタップが必要となり無駄な費用が発生する事があった。【解決手段】本案はマルチタップの刃受けが、隣接する刃受けに差し込まれた大きなプラグやコード横だしプラグなどで、刃受けがふさがれたときその刃受けを回動出来る構造として、プラグが邪魔にならない角度に回動して、プラグを差し込めるようにするもので、刃受けの数だけプラグを差し込めるようにしたものである。【選択図】図１
0003106659.tif 000002
【実用新案登録請求の範囲】
【請求項１】
凹部を有する電気絶縁材料製の複数の固定刃受けを持つマルチタップ本体に組み込まれて固定刃受けを構成する１対の固定刃受け金具と、前記凹部に嵌合してマルチタップ本体と回動可能に支持された電気絶縁材料製の可動体に固着された１対の回動刃受け金具が、回動の支点部で電気的に接続されるともに回動自在に固着された回動可能な刃受けを持つマルチタップ
【請求項２】
前記回動刃受けを有するマルチタップにおいて、固定刃受けと電気的に接続され、回動可能に固着される１対の回動刃受けの支点を、回動刃受け金具と一体の折り曲げ部で１対の回動刃受けの両外側で刃受けのほぼ中心に設けた回動刃受けを持つもの
【考案の詳細な説明】
【技術分野】
【０００１】本考案はコンセントから複数の電気機器に電源を供給する為に用いられるテーブルタップなどのマルチタップに関する。
【背景技術】
【０００２】マルチタップは、差込プラグを差し込む複数の刃受けを持つもので、電源を差し込みプラグからコードを経て供給されるテーブルタップや電源を直接コンセントから受ける為の栓刃を持つマルチタップアダプターなどがあり、接地極付のもの、接地極の無いものなど多種多様なものが住宅やオフィスなどで使われている。また、刃受けの数も２コから１０コ位のものまである。
【考案の開示】
【考案が解決しようとする課題】
【０００３】マルチタップに差し込まれる差込プラグのコード出口がプラグ栓刃と直交した横出しプラグやマルチタップの刃受けの間隔より大きな外形寸法のプラグ、例えば直流電源アダプターなどが差し込まれた時、隣接する刃受けがコード出口や、大きなプラグで塞がれて使用できなくなる。これを回避するには刃受けの間隔を大きくすることが必要になりマルチタップも大きくなってしまうが、通常使用される差込プラグにはコード出口が栓刃と同じ方向のものも多く、この場合には刃受けの間隔は大きくなくても良く、マルチタップの刃受け穴が平行で連続しているタイプのものはコード出口が栓刃と同じ向きの差込プラグを想定したものが多く、そのために前記のような不都合が生じることがある。その具体的な例を図３〜図６で説明する、図３の刃受け▲１▼、▲２▼、及び側面の刃受け▲３▼を持つテーブルタップに電源アダプターＡ，Ｂ，Ｃを差し込もうとした時、図４に示すように▲３▼の刃受けにはアダプターＢが邪魔してアダプターＣが差し込みできない。また、図５に示す刃受け▲１▼、▲２▼、▲３▼がすべて正面にあるテーブルタップも、図６に示すように刃受け▲２▼が使用できないため，アダプターＣが差込できない。このように全ての刃受けが使用できないため刃受けが不足して、更にマルチタップを追加して接続しなければならなくなったりして、余分なマルチタップが必要になるだけでなく、マルチタップとプラグの接続部がより混雑し、スペースも大きくなる。
本考案は刃受けの間隔を大きくすることなく隣り合う刃受けが差し込まれるプラグに影響を受けず、刃受けにプラグを差し込めるマルチタップを提供することにある。
【課題を解決する為の手段】
【０００４】請求項１の本案テーブルタップの外観を図１、刃受け金具の関係位置を示す斜視図及び回動刃受けの外郭、固定刃受けを支持する本体の回動支点部の斜視図を図２に示す。図１の電気絶縁材料製のテーブルタップ本体１は上下の外郭１ａ，１ｂで固定刃受け２，３の固定刃受け金具６，９を保持し、先端部の凹部５の切欠き５ａ，５ｂ及び、回動刃受けの外郭４ａ，４ｂの切欠き４ｃ，４ｄを通じ、固定刃受け金具６，９の支点穴６ｃ，９ｃで回動刃受け金具７，８の支点穴７ｂ，８ｂとバネ１０を介してリベット１１でカシメ付けされ、固定刃受け金具と回動刃受けは接触圧を持って電気的に接続され、回動刃受け金具を外郭４ａ，４ｂで固着した回動刃受け４は本体１に対し回動可能となる。本体１の外郭１ａ，１ｂは固定刃受け金具６，９を支持する溝１ｃ，１ｄなどで固定刃受け金具６，９をコード接続部とともに溶着などで固定する。回動刃受け金具７，８は電気絶縁材料製の外郭４ａ，４ｂで所定の離隔距離を隔ててネジ１３で固着される。固定刃受け金具の一方６ｄ，９ｄには電源コード１２の芯線１２ａ，１２ｂが接続されている。このように請求項１の構造で回動刃受け４は回動が可能となる。また、回動刃受けの外郭４ａ，４ｂの形状を支点穴を中心にして刃受け面の奥側（４ｂ）を本体１の厚みを直径とした半円形、支点穴から刃受け面までを本体１の厚みの２分の１として、４ａ，４ｂをネジ止めした状態でカマボコ状とすることで回動刃受け４は上下９０度まで回動可能となる。請求項２の回動可能な刃受けは図２に示すように一対の可動刃受け金具７，８の刃受け部７ａ，８ａと一体の折り曲げ部で前記刃受け部の両外側で、刃受け部のプラグ刃が差し込まれる方向のほぼ中央の位置に固定刃受けとの電気的接続と回動の支点となる回動刃受けの支点穴７ｂ，８ｂを持つことで回動刃受け４が回動したとき、外郭４ａ，４ｂの軌跡が最も小さい円弧を描くことから正面の上下寸法、奥行き寸法が最も小さく構成できる。
【考案の効果】
【０００５】請求項１の考案によれば、刃受けの１つを上下９０度に回動させることで、横出しプラグのコード出口や、直流電源アダプターなどの大きなプラグで隣接するテーブルタップの回動刃受けが塞がれたとき、その回動刃受けを隣接する刃受けに差し込まれたプラグの影響を受けない角度まで回動させれば、回動刃受けにプラグを差し込む事が可能となり、刃受けの数が有効に利用できる。また、回動刃受けと隣接する固定刃受けの間隔は小さくても回動刃受けを回動することで差込プラグが差し込めるためマルチタップも小さく出来る。更に、図７に示すように回動刃を反対側に向ければ図８に示すように、マルチタップの裏面のスペースも有効に利用でき、プラグ接続部のスペースも小さく出来る。請求項２の考案によれば、回動刃受け金具の刃受け部以外の場所に支点穴を設ける為刃受けの性能を損なうこともなく、また、回動の際、外郭の軌跡の径が小さく、回動刃受けの外形も小さく、薄くすることが出来るので、マルチタップ全体を薄くすることが出来る。また、回動の支点部を一対の回動刃受けと一体の折り曲げ部で両外側に構成する事で刃受け間の離隔距離が保持できる。また、刃受け部と支点穴をつなぐカシメなどを必要としないため安価な回動刃受けが得られる。
【考案を実施するための形態】
【０００６】図１に示すような電源をプラグ〜コード〜固定刃受け〜回動刃受けと接続されるテーブルタップとしての実施形態と図９に示すように電源を固定刃受け▲１▼、▲２▼と一体となった栓刃で直接コンセントから受けるマルチタップアダプターでも回動刃受け▲３▼を持つことで同じ機能を持たせることが出来るので実施形態の１つとなり得る。このマルチタップアダプターと図１に示すテーブルタップを組み合わせることで、裏、表に複数の刃受けを持つことが可能となり、よりマルチタップの接続スペース小さくてよい。次に図１、図２、で本考案の実施形態を説明する。電気絶縁材料製のマルチタップ本体１の外郭は１ａ，１ｂで構成されていて、固定刃受け金具６，９を固定刃受け２，３の刃受け部６ａ，６ｂ，９ａ，９ｂなどの刃受け部や、支点穴の切欠き５ａ，５ｂに近い間隙１ｃ，１ｄなどで固着して固定刃受け２，３を構成し、固定刃受け金具の先端には回動の支点となる穴６ｃ，９ｃがあいていて本体１の凹部内側の切り欠き５ａ，５ｂから内側面とほぼ同じ高さで露出している。回動刃受け金具７，８は可動体外郭４ａ，４ｂの内側の隔壁で所要の離隔距離を保持されネジ１３で固着され、刃受け部７ａ，８ａと一体の折り曲げ部で構成した支点穴７ｂ，８ｂを持ち、コの支点穴は可動体外郭４ａ，４ｂの切欠き５ａ，５ｂを通じて側面に露出し、前記固定刃受け６，９の支点穴６ｃ，９ｃとＵの字状の板バネ１０を介してリベット１１でカシメ付けされ回動自在に、接触圧を持って電気的にも接続される。固定刃受けの一方の端部にはコード１２の芯線１２ａ、１２ｂを接続する端子部６ｄ，９ｄで電源コードと接続される。回動刃受け金具７，８は刃受け部７ａ，８ａで可動体外郭４ａの刃受け面と回動刃受け４を構成する。回動刃受の支点穴は刃受け部７ａ，８ａと一体で両外側に折り曲げられて可動体外郭の切欠き４ｃ，４ｄに露出する、回動刃受け部７ａ８ａのプラグ栓刃の差し込まれる方向のほぼ中心となる位置とすることで、回動刃受け４の奥行き（４ｂ側）、刃受け面（４ａ側）の寸法が小さく出来る、一対の回動は受けの外側で支点となる接続部を持つことで、回動刃受け間の絶縁距離を維持し、一体の折り曲げ部のため接続の性能も安定する。また、可動体外郭４ｂは回動の支点を中心として本体１の厚みを直径とする半円筒、刃受け面側４ａは支点から４ｂの半径と同じ寸法で、上下の幅はその直径と同じ寸法とすることで回動刃受け４は上下９０度に回動可能となる。
【図面の簡単な説明】
【０００７】
【図１】本考案のアース極のないテーブルタップ外観斜視図  １、テーブルタップ本体  ２，３、固定刃受け  ４、回動刃受け  ５、回動刃受け４が嵌合する本体の凹部  １２、電源コード
【図２】固定刃受け金具、回動刃受け金具の斜視図と回動刃受けの外郭及び本体の凹部内側の部分斜視図  固定刃受け金具６，９は固定刃受け２，３に対応する刃受け部６ａ，６ｂ，９ａ，９ｂとコード接続部６ｄ，９ｄ，及び回動刃受けの支点となり、電気的接続部となる支点穴６ｃ、９ｃを持つ７，８、回動刃受け金具  １０、回動刃受けに接触圧力を与えるＵの字状板バネ  １１、固定刃受け金具と回動刃受け金具を板バネ１０を介して回動可能で電気的にも接続するカシメリベット。  ４ａ，４ｂ，回動刃受け４を回動刃受け金具７，８と構成する電気絶縁性材料の可動体外郭で側面に回動刃受け金具の支点穴が露出する切欠き４ｃ，４ｄがあいている１ａ，１ｂ，本体１の上下の外郭で固定刃受け金具６，９を固定刃受け部６ａ，６ｂ，９ａ，９ｂや溝１ｃ，１ｄで位置決めする  １２ａ，１２ｂコード芯線  １３可動体外郭を固着するネジ
【図３】刃受け▲１▼、▲２▼及び側面の刃受け▲３▼を持つ一般的に使用されているテーブルタップの外観図
【図４】図５のテーブルタップに直流電源アダプターを差し込む例を示す説明図  アダプターＣが刃受け▲３▼に差し込めない。
【図５】一般的に使用されている正面に３コの刃受け持つ３コ口のテーブルタップの外観図
【図６】図５のマルチタップに電源アダプターＡ，Ｂ，Ｃを差し込む例を示す説明図  アダプターＣが刃受け▲２▼に差し込めない。
【図７】本考案テーブルタップで固定刃受け２、回動刃受け１コで回動刃受けが裏面向き
【図８】図７の本案テーブルタップに直流電源アダプターを３個接続した説明図
【図９】本考案の実施例で回動刃受け▲３▼と、固定刃受け▲１▼、▲２▼および電源差込刃を持つマルチタップアダプターの外観図
【符号の説明】
【０００８】１  本考案の凹部を有するテーブルタップ本体  １ａ，１ｂ本体１の上下の外郭固定刃受の支点穴が凹部５の内側に露出する切欠き５ａ，５ｂがあいている  ２，３  固定刃受け  ４  回動刃受け４ａ，４ｂ電気絶縁材料製の可動体外郭（４ｃ、４ｄ回動刃受けの支点穴が露出する切欠きをもつ）と回動刃受け金具７，８で構成される  ６，９固定刃受け２，３に対応する一対の刃受け金具  刃受け部、コード接続部、支点穴６ｃ，９Ｃを持つ  ７，８  回動刃受け金具  刃受け部７ａ，８ａと一体の折り曲げ部の支点穴７ｂ，８ｂを持つ  １０  板バネ  １１  カシメ用リベット  １２  コード  １２ａ，１２ｂ  コード芯線  １３  可動体外郭を固着するネジ
【図１】
0003106659.tif 000003
【図２】
0003106659.tif 000004
【図３】
0003106659.tif 000005
【図４】
0003106659.tif 000006
【図５】
0003106659.tif 000007
【図６】
0003106659.tif 000008
【図７】
0003106659.tif 000009
【図８】
0003106659.tif 000010
【図９】
0003106659.tif 000011
【手続補正書】
【提出日】平成16年9月1日(2004.9.1)
【手続補正１】
【補正対象書類名】実用新案登録請求の範囲
【補正対象項目名】全文
【補正方法】変更
【補正の内容】
【実用新案登録請求の範囲】
【請求項１】
凹部を有する電気絶縁材料製の複数の固定刃受けを持つマルチタップ本体に組み込まれて固定刃受けを構成する一対の固定刃受け金具と、前記凹部に嵌合してマルチタップ本体と回動可能に支持された電気絶縁材料製の可動体の固着された一対の回動刃受けが、回動の支点部で電気的に接続されるとともに回動自在に固着された回動可能な刃受けを持つ刃受け回動マルチタップ
【請求項２】
請求項１記載の回動可能な刃受けを持つ刃受け回動マルチタップにおいて、固定刃受けと電気的に接続され、回動可能に固着される一対の回動刃受けの支点を、回動刃受けの両外側で回動は受けの刃受け部のほぼ中心に設けた回動刃受けを持つ刃受け回動マルチタップ